(57)【要約】【課題】遊技台の外部に設置され遊技台の前枠の強引なこじ開けを阻止する遊技台の防犯装置において、この防犯装置を留めているビスを取り除いたりすることなく、簡単に取外し作業を行えるようにする。【解決手段】防犯装置本体３０は、前枠の開き方向への移動を規制する規制位置と前枠の開き方向への移動を許可する許可位置との間で切り替わるストッパと、規制位置から許可位置への切替えを開錠回転操作によって行うシリンダ錠４３ａとを備え、シリンダ錠４３ａは、開錠回転操作とは異なる取外し回転操作によって、固定状態で外枠１１側に取り付けられていた防犯装置本体３０を、外枠１１側から取外し可能な取外し可能状態に切り替えるようになっている。【選択図】図９
2010148825.tif 000002
【特許請求の範囲】
【請求項１】
遊技台の外部に設置され、基枠に対して片側開閉する前枠の強引なこじ開けを阻止する遊技台の防犯装置であって、
基台側に固定状態で取り付けられる防犯装置本体を備え、
前記防犯装置本体は、前記前枠の開き方向への移動を規制する規制位置と前記前枠の開き方向への移動を許可する許可位置との間で切り替わる開き規制部材と、前記規制位置から前記許可位置への切替えを開錠回転操作によって行うシリンダ錠とを備え、
前記シリンダ錠は、開錠回転操作とは異なる取外し回転操作によって、固定状態で前記基台側に取り付けられていた前記防犯装置本体を、前記基台側から取外し可能な取外し可能状態に切り替えるようになっていることを特徴とする遊技台の防犯装置。
【請求項２】
請求項１に記載の遊技台の防犯装置において、
前記防犯装置本体には、前記防犯装置本体を前記基台側に取り付けた場合に、前記基台側に対して前記防犯装置本体を固定状態とするように、前記基台側に対しての前記防犯装置本体の移動を規制する係合部が設けられ、
前記係合部は、前記防犯装置本体を前記基台側に取り付けた場合に、係合解除位置から係合位置に変更するように付勢されていることを特徴とする遊技台の防犯装置。
【請求項３】
請求項１または請求項２に記載の遊技台の防犯装置において、
前記防犯装置本体は、前記基台側に固定して取り付けられる取付用固定部材を介して、前記基台側に固定状態で取り付けられるようになっており、
前記シリンダ錠は、前記取外し回転操作によって、固定状態で前記取付用固定部材に取り付けられていた前記防犯装置本体を、前記取付用固定部材から取外し可能な取外し可能状態に切り替えるようになっていることを特徴とする遊技台の防犯装置。
【発明の詳細な説明】
【技術分野】
【０００１】
本発明は、遊技台の外部に設置され、遊技台の前枠の強引なこじ開けを阻止する遊技台の防犯装置に関する。
【背景技術】
【０００２】
スロットマシンに代表される遊技台にあっては、遊技場の遊技台設置用島に設置されて遊技される。ところで、この種の遊技台を遊技する者の中には、遊技台の内部を勝手に操作しようとしたり、遊技台の内部にあるコインを盗み取ろうとしたりするような、いわゆる不正行為をする者がいる。このような不正行為をする者は、遊技台の前枠をバールのようなもので強引にこじ開けて上記のような不正を働く。
【０００３】
従来においては、このような遊技台の前枠の強引なこじ開けを阻止するために、遊技台の外部に設置される遊技台の防犯装置が知られている（例えば、特許文献１参照）。この種の遊技台の防犯装置は、前枠を閉じて施錠状態となった後に、この前枠の開き方向の移動を規制する開き規制部材を備えて構成される。この遊技台の防犯装置によれば、遊技台の前枠の開き方向の移動を外部から開き規制部材にて規制し、遊技台の前枠の強引なこじ開けを外部から阻止することができる。
【特許文献１】特開２００８−９２９８７公報
【発明の開示】
【発明が解決しようとする課題】
【０００４】
一方、上記の遊技台の防犯装置を設置するにあたっては、ビス留めにて遊技台設置用島に設置したりする。他方、上記の遊技台の防犯装置にあっては、遊技台設置用島の調整作業を行う場合には、このような防犯装置を基台側から取り外さなければならない。このような防犯装置の取外しには、この防犯装置を留めているビスを取り除く作業が必要であり、作業が煩雑であるとの指摘があった。
【０００５】
本発明は、このような事情に鑑みなされたものであって、本発明が解決しようとする課題は、遊技台の外部に設置され遊技台の前枠の強引なこじ開けを阻止する遊技台の防犯装置において、基台側から取り外すにあたって、この防犯装置を留めているビスを取り除いたりする作業を行うことなく、簡単に取外し作業を行えるようにすることにある。
【課題を解決するための手段】
【０００６】
上記課題を解決するため本発明に係る遊技台の防犯装置は、次の手段を採用する。
すなわち、本発明の第１の発明に係る遊技台の防犯装置は、遊技台の外部に設置され、基枠に対して片側開閉する前枠の強引なこじ開けを阻止する遊技台の防犯装置であって、基台側に固定状態で取り付けられる防犯装置本体を備え、前記防犯装置本体は、前記前枠の開き方向への移動を規制する規制位置と前記前枠の開き方向への移動を許可する許可位置との間で切り替わる開き規制部材と、前記規制位置から前記許可位置への切替えを開錠回転操作によって行うシリンダ錠とを備え、前記シリンダ錠は、開錠回転操作とは異なる取外し回転操作によって、固定状態で前記基台側に取り付けられていた前記防犯装置本体を、前記基台側から取外し可能な取外し可能状態に切り替えるようになっていることを特徴とする。
【０００７】
この遊技台の防犯装置によれば、防犯装置本体は、前枠の開き方向への移動を規制する規制位置と前枠の開き方向への移動を許可する許可位置との間で切り替わる開き規制部材と、規制位置から許可位置への切替えを開錠回転操作によって行うシリンダ錠とを備え、シリンダ錠は、開錠回転操作とは異なる取外し回転操作によって、固定状態で基台側に取り付けられていた防犯装置本体を、基台側から取外し可能な取外し可能状態に切り替えるようになっているので、開き規制部材を規制位置から許可位置に切り替える開錠回転操作と、防犯装置本体を基台側から取外し可能な取外し可能状態に切り替える取外し回転操作とを、１つのシリンダ錠によって行うことができる。
これによって、遊技台の外部に設置され遊技台の前枠の強引なこじ開けを阻止する遊技台の防犯装置において、基台側から防犯装置本体を取り外すにあたって、通常の開錠回転操作と大差のない取外し回転操作により、防犯装置本体を基台側から取外し可能な取外し可能状態に切り替えることができる。したがって、ビスを取り除いたりする作業を行うことなく、簡単に取外し作業を行うことができる。
【０００８】
また、開錠回転操作と取外し回転操作とは、１つのシリンダ錠によって行うことができるので、施錠装置を別途設置することもなくなって製品コストの削減にも繋がる。
また、上記シリンダ錠を、遊技台に設けられるシリンダ錠と同一のシリンダ錠を用いた場合には、遊技台自体を開錠するための開錠操作、防犯装置を開錠するための開錠回転操作、防犯装置本体を遊技台から取外し可能状態とするための取外し回転操作、これらの操作を１つの鍵で行うことができる。したがって、遊技台の管理者は、複数の鍵を所持する必要もなくなるので、管理負担を軽減することができる。
【０００９】
第２の発明に係る遊技台の防犯装置は、第１の発明に係る遊技台の防犯装置において、前記防犯装置本体には、前記防犯装置本体を前記基台側に取り付けた場合に、前記基台側に対して前記防犯装置本体を固定状態とするように、前記基台側に対しての前記防犯装置本体の移動を規制する係合部が設けられ、前記係合部は、前記防犯装置本体を前記基台側に取り付けた場合に、係合解除位置から係合位置に変更するように付勢されていることを特徴とする。
【００１０】
この遊技台の防犯装置によれば、防犯装置本体には、防犯装置本体を基台側に取り付けた場合に、基台側に対して防犯装置本体を固定状態とするように、基台側に対しての防犯装置本体の移動を規制する係合部が設けられ、係合部は、防犯装置本体を基台側に取り付けた場合に、係合解除位置から係合位置に変更するように付勢されているので、防犯装置本体を基台側に取り付けた場合には、この取付け状態を自動的に保持することができる。これによって、この遊技台の防犯装置によれば、ビスを取り付けたりする作業を行うことなく、簡単に取付け作業を行うことができる。
【００１１】
第３の発明に係る遊技台の防犯装置は、第１または第２の発明に係る遊技台の防犯装置において、前記防犯装置本体は、前記基台側に固定して取り付けられる取付用固定部材を介して、前記基台側に固定状態で取り付けられるようになっており、前記シリンダ錠は、前記取外し回転操作によって、固定状態で前記取付用固定部材に取り付けられていた前記防犯装置本体を、前記取付用固定部材から取外し可能な取外し可能状態に切り替えるようになっていることを特徴とする。
【００１２】
この遊技台の防犯装置によれば、防犯装置本体は、基台側に固定して取り付けられる取付用固定部材を介して基台側に固定状態で取り付けられるようになっており、シリンダ錠は、取外し回転操作によって、固定状態で取付用固定部材に取り付けられていた防犯装置本体を、取付用固定部材から取外し可能な取外し可能状態に切り替えるようになっているので、防犯装置本体は共通部品としながら、取付用固定部材を基台側の状況に応じて適宜調整変更することができる。これによって、防犯装置本体を共通部品として何度も利用することができるので、製品コストを削減することに繋がる。
【発明の効果】
【００１３】
第１の発明に係る遊技台の防犯装置によれば、遊技台の外部に設置され遊技台の前枠の強引なこじ開けを阻止する遊技台の防犯装置において、ビスを取り除いたりする作業を行うことなく、簡単に取外し作業を行うことができる。また、開錠回転操作と取外し回転操作とは、１つのシリンダ錠によって行うことができるので、施錠装置を別途設置することもなくなって製品コストの削減にも繋がる。また、遊技台管理者は、複数の鍵を所持する必要もなくなるので、管理負担を軽減することができる。
第２の発明に係る遊技台の防犯装置によれば、ビスを取り付けたりする作業を行うことなく、簡単に取付け作業を行うことができる。
第３の発明に係る遊技台の防犯装置によれば、製品コストが高価な防犯装置本体を共通部品としながら、製品コストが安価な取付用固定部材のみを交換するだけで、防犯装置を構成することができ、製品コストを削減に繋がる。
【発明を実施するための最良の形態】
【００１４】
以下、本発明を実施するための最良の形態について、図面を参照しながら説明する。
図１は、遊技台の一例であるスロットマシン１０についての斜視図である。このスロットマシン１０には、実施の形態となる防犯装置２０が設置されている。図２は、図１に示すスロットマシン１０の前枠１２が開き状態となっている例を示す斜視図であり、（Ａ）が左上方斜視図であり（Ｂ）が右上方斜視図である。
スロットマシン１０は、図１および図２（Ａ）（Ｂ）に示すように、基枠としての外枠１１と、この外枠１１に対してヒンジ結合される前枠１２とを備えて構成される。このスロットマシン１０は、前枠１２が外枠１１に対して扉状に片側開閉可能に取り付けられ、これら外枠１１と前枠１２とにより筐体構造をなす。なお、外枠１１と前枠１２とにより筐体構造をなすスロットマシン１０の内部には、各種の機器が装置されている。なお、以下においては、外枠１１に対して開閉される前枠１２側が、遊技者側となる前側として説明する。
この外枠１１および前枠１２の扉状に片側開閉される側には、前枠１２が閉じ位置となった場合に、外枠１１に対して前枠１２を施錠する遊技台用施錠装置１５が設けられている。この遊技台用施錠装置１５は、図２（Ｂ）に示すように、外枠１１側の開閉側縁に沿って取り付けられる雌側施錠具１５ａと、前枠１２側の開閉側縁に沿って取り付けられる雄側施錠具１５ｂとを備える。雄側施錠具１５ｂは、図２（Ａ）に示すように、この遊技台用施錠装置１５を開錠操作するためのシリンダ錠１５ｃを具備している。
【００１５】
次に、このようにシリンダ錠を具備するスロットマシン１０に取り付けられる防犯装置２０について説明する。
図３は防犯装置２０の外観斜視図であり、図３（Ａ）は開き規制部材としてのストッパ４１ｂが規制位置に位置している場合の図であり、図３（Ｂ）は開き規制部材としてのストッパ４１ｂが許可位置に位置している場合の図である。
この防犯装置２０は、上記のように構成されるスロットマシン１０の外部に設置され、外枠１１に対して片側開閉する前枠１２の強引なこじ開けを阻止するものである。この防犯装置２０は、スロットマシン１０の外枠１１に、固定状態で取り付けられる防犯装置本体３０を備える。なお、本発明に係る「基台」とは、遊技台設置用島に固定設置されるものを総称したものであって、固定設置された状態のものであることを意味する。したがって、本発明に係る「基台側」とは、遊技台設置用島に固定設置されるもの側であることを意味している。この実施の形態における「基台」とは、遊技台設置用島に固定設置されたスロットマシン１０の外枠１１となっている。
【００１６】
防犯装置本体３０は、図１〜図３に示すように、取付用固定部材２１を介して、スロットマシン１０の外枠１１に固定状態で取り付けられる。
取付用固定部材２１は、スロットマシン１０の外枠１１に固定して取り付けられるものであり、図１〜図３に示すように略板状に形成される。取付用固定部材２１は、スロットマシン１０の外枠１１に固定して取り付けられる基台取付部２２と、防犯装置本体３０を固定状態で取り付けるための本体取付部２３とを備える。基台取付部２２は、螺子穴２２ａが形成されており、適宜の螺子部材にて外枠１１に固定して取り付けられる。本体取付部２３は、後に説明する分離している第１取付け作動図となる図５に示すように、適宜の切欠きにて形成された嵌込用凹形状部２４を有して形成される。具体的には、嵌込用凹形状部２４は、水平挿入および鉛直挿入に対応するように、水平方向に延びる水平嵌込溝２４ａと鉛直方向に延びる鉛直嵌込溝２４ｂとを合体させてなる。このようにして、本体取付部２３のうち、嵌込用凹形状部２４以外の個所は、図５に示すような防犯装置本体３０の嵌合ガイド雌部５１ｃと嵌合する嵌合ガイド雄部２５が形成される。
【００１７】
図４は、防犯装置本体３０の分解斜視図である。
防犯装置本体３０は、概略、図４に示すように、外装ケース３１と、外装ケース３１内部に配され外装ケース３１にて支持されるベース３２ａ，３２ｂと、外装ケース３１内に配設される規制機構４０および取外し機構５０とを備える。
外装ケース３１は、後面側カバー３１ａ、前面側カバー３１ｂ、上カバー３１ｃ、下カバー３１ｄとを有し、これらカバー３１ａ，３１ｂ，３１ｃ，３１ｄを組み付けることによりケース状に形成される。このようにケース状に形成された外装ケース３１の内部には、第１ベース３２ａおよび第２ベース３２ｂが、適宜螺子止めされた状態で配設される。また、規制機構４０および取外し機構５０は、外装ケース３１およびベース３２ａ，３２ｂに支持されるようにして配設されている。
後面側カバー３１ａには、防犯装置本体３０を取付用固定部材２１に取り付けるに際して、取付用固定部材２１の嵌合ガイド雄部２５と嵌合する嵌合ガイド雌部５１ｃと、取付用固定部材２１の水平嵌込溝２４ａおよび鉛直嵌込溝２４ｂと嵌合するガイド片部５１ｄとが設けられている（後に説明する図５等を参照）。
【００１８】
規制機構４０は、ストッパ４１ｂを規制位置あるいは許可位置に位置させるための機構であり、概略、ストッパ装置４１と、連動レバー装置４２と、ロック状態解除操作装置４３とを備える。なお、ストッパ４１ｂは、前枠１２の開き方向への移動を規制する規制位置においては図３（Ａ）に示す状態となり、前枠１２の開き方向への移動を許可する許可位置においては図３（Ｂ）に示す状態となり、この間で切り替わるようになっている。
ストッパ装置４１は、ベース３２ａ，３２ｂに回転軸支される回転支持部材４１ａと、この回転支持部材４１ａに適宜の螺子部材にて取り付けられるストッパ４１ｂとを備える。回転支持部材４１ａおよびストッパ４１ｂは、ベース３２ａ，３２ｂに対して回転するようになっている。具体的には、回転支持部材４１ａは、後に説明する連動レバー装置４２の動きに連動して、ストッパ４１ｂを外装ケース３１に形成される出没窓３１ｅから突出した状態とする。このストッパ４１ｂが出没窓３１ｅから突出している状態が、ストッパ４１ｂが上記規制位置（図３（Ａ）参照）に位置している状態である。この状態では、回転支持部材４１ａおよびストッパ４１ｂはロックされたロック状態となっており、外枠１１に対して片側開閉する前枠１２の強引なこじ開けを阻止するようになっている。
また、回転支持部材４１ａは、後に説明するロック状態解除操作装置４３の動きに連動して、回転支持部材４１ａおよびストッパ４１ｂのロックされているロック状態を解除し、出没窓３１ｅから突出した状態となっているストッパ４１ｂの突出を没した状態に変える機能を有する。このストッパ４１ｂが没している状態が、ストッパ４１ｂが上記許可位置（図３（Ｂ）参照）に位置している状態である。この状態では、前枠１２を、外枠１１に対して片側開閉することができる。
【００１９】
連動レバー装置４２は、第２ベース３２ｂにピン４２ｂを介して回転軸支される回転部材４２ａと、この回転部材４２ａを外部突出状態に付勢する付勢ばね４２ｃと、回転部材４２ａに適宜の螺子部材を介して取り付けられる擦り部材４２ｄとを備える。なお、擦り部材４２ｄが、付勢ばね４２ｃの付勢力に抗した状態で、上記したスロットマシン１０の前枠１２に擦りながら移動することによって、回転部材４２ａは第２ベース３２ｂに対して回転するようになっている。この際、回転部材４２ａは、上記したストッパ装置４１の回転支持部材４１ａおよびストッパ４１ｂを回転させるように連動させ、これによりストッパ４１ｂは外装ケース３１に形成される出没窓３１ｅから突出した規制位置（図３（Ａ）参照）に位置している状態とするようになっている。
ロック状態解除操作装置４３は、概略、シリンダ錠４３ａと、カム４３ｂと、回転部材４３ｃと、擦り部材４３ｄと、カム当接部材４３ｅと、付勢ばね４３ｆとを備える。
シリンダ錠４３ａは、上記した遊技台用施錠装置１５のシリンダ錠１５ｃと同様に構成されるものであり、鍵を挿入して回転操作するものである。シリンダ錠４３ａは、適宜の螺子部材にて第２ベース３２ｂに取り付けられる。この回転操作には、開錠回転操作と取外し回転操作との２つの回転操作が含まれる。なお、開錠回転操作は、この例においては右回転させることにより操作するようになっており、ストッパ４１ｂの規制位置におけるロック状態を解除する操作である。取外し回転操作は、この例においては左回転させることにより操作するようになっており、後に詳述する取外し部材５１を係合位置から係合解除位置に位置させる操作である。
カム４３ｂは、シリンダ錠４３ａの回転操作に連動して回転し、この回転にて当接する部材を連動させるものである。カム４３ｂは、適宜の螺子部材にてシリンダ錠４３ａに取り付けられる。回転部材４３ｃは、適宜のピンにて回転軸支されており、次に説明する擦り部材４３ｄを一体的に保持する。擦り部材４３ｄは、回転部材４３ｃと一体的に動くものであり、ストッパ４１ｂの規制位置におけるロック状態を解除するものである。カム当接部材４３ｅは、シリンダ錠４３ａの開錠回転操作に連動して回転するカム４３ｂの回転を受けて回転するものであり、その回転を受けてロック状態を解除する擦り部材４３ｄを動かすものである。付勢ばね４３ｆは、このロック状態解除操作装置４３にてロック状態を解除するまでは、ストッパ４１ｂの規制位置におけるロック状態を保持するように擦り部材４３ｄを付勢するものである。
【００２０】
次に、取外し機構５０について説明する。
取外し機構５０は、取付用固定部材２１に防犯装置本体３０を取り付けた場合に、この防犯装置本体３０が取付用固定部材２１に取り付けられた状態（以下、取付け状態）を自動的に保持する機能を有するとともに、シリンダ錠４３ａの取外し回転操作に応じて、この自動的に保持された取付け状態を解除して取付用固定部材２１から防犯装置本体３０を取外し可能状態とする機能も有するものである。取外し機構５０は、概略、取外し部材５１と、付勢ばね５２とを備える。
取外し部材５１は、防犯装置本体３０が取付用固定部材２１に取付け状態となった場合に、この取付け状態を自動的に保持するために、取付用固定部材２１に対して係合位置に位置する部材である。すなわち、取外し部材５１は、軸支ピン５３にて軸支される軸支部５１ａと、防犯装置本体３０の取付け状態を保持するために移動を規制する係合部５１ｂとを備える。係合部５１ｂは、取付用固定部材２１側に配されるものであり、取外し部材５１が係合位置に位置している場合に、この取付用固定部材２１に対して当接する。なお、シリンダ錠４３ａの取外し回転操作によって、取外し部材５１を係合位置から係合解除位置に位置させた場合には、取付用固定部材２１に当接する係合部５１ｂの当接は解除される。つまり、取外し機構５０は、自動的に保持された取付け状態が解除され、取付用固定部材２１から防犯装置本体３０を取外し可能とする取外し可能状態となる。
付勢ばね５２は、防犯装置本体３０が取付用固定部材２１に取付け状態となった場合に、この取付け状態を自動的に保持するために、取外し部材５１を取付用固定部材２１に対して係合位置に位置させるように付勢するものである。具体的には、付勢ばね５２は、適宜のコイルばねにて形成されており、軸支部５１ａにて回転軸支される取外し部材５１を係合位置に位置させるように付勢している。なお、シリンダ錠４３ａの取外し回転操作によって、取外し部材５１を係合位置から係合解除位置に位置させる場合には、この付勢ばね５２の付勢力に対して抗した操作となる。
【００２１】
以上のように構成された防犯装置２０は、次のように作動する。
まず、防犯装置本体３０が取付用固定部材２１に取り付けられた状態となるように、防犯装置本体３０を取付用固定部材２１に取り付ける作動について、図を参照にしながら説明する。図５〜図８は、防犯装置本体３０を取付用固定部材２１に取り付けるにあたっての作動を示す取付け作動図である。すなわち、図５〜図８は、取り付けるにあたっての手順を斜視図にて示しており、図示においては作動が理解し易いように上記した適宜の部材（付勢ばね５２については隠れていて見えない。）が図示省略している。なお、図５は第１取付け作動図、図６は第２取付け作動図、図７は第３取付け作動図、図８は第４取付け作動図である。
【００２２】
図５に示す第１取付け作動図では、防犯装置本体３０が取付用固定部材２１に取り付けられる前の分離状態を示している。すなわち、取外し機構５０は、上記した付勢ばね５２（図４参照）の付勢力により、取外し部材５１を取付用固定部材２１に対して係合位置に位置させている。またこれにより、取外し部材５１の係合部５１ｂは、取付用固定部材２１側に向けて突出するように位置したものとなっている。なお、この図示位置が、取外し部材５１の取付用固定部材２１に対する係合位置と共通する位置である。
図６に示す第２取付け作動図では、取付用固定部材２１の嵌合ガイド雄部２５を防犯装置本体３０の嵌合ガイド雌部５１ｃに嵌合させ、防犯装置本体３０のガイド片部５１ｄを取付用固定部材２１の水平嵌込溝２４ａに嵌合させている。これによって、取外し部材５１の係合部５１ｂは、上記した付勢ばね５２の付勢力に抗して、取付用固定部材２１の一部に当接している。なお、係合部５１ｂには、防犯装置本体３０を取付用固定部材２１に対して取り付けるにあたって、取外し部材５１の係合部５１ｂが当接状態で移動するテーパ構造が設けられている。この図示位置が、取外し部材５１の取付用固定部材２１に対する係合解除位置と共通する位置である。
【００２３】
図７に示す第３取付け作動図では、防犯装置本体３０のガイド片部５１ｄが、取付用固定部材２１の水平嵌込溝２４ａの奥に位置するように、防犯装置本体３０を取付用固定部材２１に対して水平方向にスライド移動させている。なお、取外し部材５１の係合部５１ｂは、上記した付勢ばね５２の付勢力に抗して、取付用固定部材２１の嵌合ガイド雄部２５に当接している。つまり、図示においては、取外し部材５１の係合部５１ｂは、取付用固定部材２１の嵌合ガイド雄部２５に隠れて見えない状態となっている。
図８に示す第４取付け作動図では、防犯装置本体３０のガイド片部５１ｄが、取付用固定部材２１の鉛直嵌込溝２４ｂに嵌まり込むように、防犯装置本体３０を取付用固定部材２１に対して鉛直方向にスライド移動させている。これによって、ガイド片部５１ｄは、鉛直嵌込溝２４ｂに嵌まり込み、防犯装置本体３０は取付用固定部材２１に対して取り付けられた状態となる。この際、取外し部材５１の係合部５１ｂは、取外し部材５１の取付用固定部材２１に対する係合位置に位置することとなる。つまり、取外し部材５１の係合部５１ｂは、取付用固定部材２１の水平嵌込溝２４ａに嵌挿されるように突出している。
【００２４】
このようにして、図８に示す第４取付け作動図にて、防犯装置本体３０は取付用固定部材２１に取り付けられた状態となる。つまり、防犯装置本体３０のガイド片部５１ｄが取付用固定部材２１の鉛直嵌込溝２４ｂに嵌まり込むことによって、取付用固定部材２１に対する防犯装置本体３０の水平方向のスライド移動を規制する。また、係合部５１ｂが取付用固定部材２１の水平嵌込溝２４ａに嵌挿するように、取外し部材５１が係合位置に位置することによって、取付用固定部材２１に対する防犯装置本体３０の鉛直方向のスライド移動を規制する。もって、防犯装置本体３０は、取付用固定部材２１に対して移動が規制されたものとなり、取付用固定部材２１に対して固定状態で取り付けられたものとなる。
【００２５】
次に、防犯装置本体３０が取付用固定部材２１から取り外された状態となるように、防犯装置本体３０を取付用固定部材２１から取り外す作動について、図を参照にしながら説明する。図９〜図１１は、防犯装置本体３０を取付用固定部材２１に取り外すにあたっての作動を示す取付け作動図である。すなわち、図９〜図１１は、取り外すにあたっての手順を斜視図にて示しており、図示においては作動が理解し易いように上記した適宜の部材（付勢ばね５２については隠れていて見えない。）が図示省略している。なお、図９は第１取外し作動図、図１０は第２取外し作動図、図１１は第３取外し作動図である。また、図１２は図８に示す状態の正面部分断面図であり、図１３は図９に示す状態の正面図である。
なお、図９〜図１１に示す取外し作動前の状態は、上記した図８に示す状態であり、すなわち防犯装置本体３０が取付用固定部材２１に取り付けられた状態である。また、図９〜図１１に示す取外し作動後の状態は、上記した図５に示す状態であり、すなわち防犯装置本体３０が取付用固定部材２１に取り付けられる前の取り外された状態である。
また、図９〜図１３における符号Ｋは、シリンダ錠４３ａを回転操作するための鍵である。
【００２６】
まず、図９および図１３に示す第１取外し作動図では、上記した図８および図１２に示す状態から、付勢ばね５２の付勢力に抗してシリンダ錠４３ｃを取外し回転操作（左回転）させている。そうすると、シリンダ錠４３ａの取外し回転操作に、カム４３ｂが連動し、図示においては見え難い個所となっている一部が取外し部材５１の一部に当接し、取外し部材５１を回転させる。すなわち、取付用固定部材２１に対して係合位置（図８、図１２）に位置していた取外し部材５１は、取付用固定部材２１に対して係合解除位置（図９、図１３）に位置することとなる。これによって、取外し部材５１の係合部５１ｂは、取付用固定部材２１側から退行するように位置することとなる。そうすると、それまで規制されていた取付用固定部材２１に対する防犯装置本体３０の鉛直方向のスライド移動は許可されたものとなり、防犯装置本体３０は取付用固定部材２１に対して鉛直方向上方にスライド移動させることが可能な状態となる。
【００２７】
図１０に示す第２取外し作動図では、防犯装置本体３０を取付用固定部材２１に対して鉛直方向上方にスライド移動させている。このように防犯装置本体３０を取付用固定部材２１に対して鉛直方向上方にスライド移動させると、それまで取付用固定部材２１の鉛直嵌込溝２４ｂに嵌まり込んでいた防犯装置本体３０のガイド片部５１ｄの嵌まり込みが解除されることとなり、それまで規制されていた取付用固定部材２１に対する防犯装置本体３０の水平方向のスライド移動は許可されたものとなる。これにより、防犯装置本体３０は取付用固定部材２１に対して水平離間方向にスライド移動させることが可能な状態となる。
図１１に示す第３取外し作動図では、防犯装置本体３０を取付用固定部材２１に対して水平離間方向にスライド移動させている。このように防犯装置本体３０を取付用固定部材２１に対して水平離間方向にスライド移動させると、防犯装置本体３０は取付用固定部材２１に対して取り外された状態となる。なお、この図１１に示す状態から、取外し回転操作しているシリンダ錠４３ｃを元位置に戻すと、図５に示す状態、つまり防犯装置本体３０が取付用固定部材２１に取り付けられる前と同様の取り外された状態となる。
【００２８】
このスロットマシン１０の防犯装置２０によれば、次のような作用効果を奏することができる。
すなわち、このスロットマシン１０の防犯装置２０によれば、シリンダ錠４３ｃは、開錠回転操作とは異なる取外し回転操作によって、固定状態で外枠１１側に取り付けられていた防犯装置本体３０を、外枠１１側から取外し可能な取外し可能状態に切り替えるようになっているので、ストッパ４１ｂを規制位置から許可位置に切り替える開錠回転操作と、防犯装置本体３０を外枠１１側から取外し可能な取外し可能状態に切り替える取外し回転操作とを、１つのシリンダ錠４３ｃによって行うことができる。
これによって、スロットマシン１０の外部に設置されスロットマシン１０の前枠１２の強引なこじ開けを阻止するスロットマシン１０の防犯装置２０において、外枠１１側から防犯装置本体３０を取り外すにあたって、通常の開錠回転操作と大差のない取外し回転操作により、防犯装置本体３０を外枠１１側から取外し可能な取外し可能状態に切り替えることができる。したがって、ビスを取り除いたりする作業を行うことなく、簡単に取外し作業を行うことができる。
また、開錠回転操作と取外し回転操作とは、１つのシリンダ錠４３ｃによって行うことができるので、施錠装置を別途設置することもなくなって製品コストの削減にも繋がる。
また、上記シリンダ錠４３ｃを、スロットマシン１０に設けられるシリンダ錠４３ｃと同一のシリンダ錠４３ｃを用いているので、スロットマシン１０自体を開錠するための開錠操作、防犯装置２０を開錠するための開錠回転操作、防犯装置本体３０をスロットマシン１０から取外し可能状態とするための取外し回転操作、これらの操作を１つの鍵Ｋで行うことができる。したがって、スロットマシン１０の管理者は、複数の鍵を所持する必要もなくなるので、管理負担を軽減することができる。
【００２９】
また、このスロットマシン１０の防犯装置２０によれば、防犯装置本体３０には、防犯装置本体３０を外枠１１側に取り付けた場合に、外枠１１側に対して防犯装置本体３０を固定状態とするように、外枠１１側に対しての防犯装置本体３０の移動を規制する係合部５１ｂが設けられ、係合部５１ｂは、防犯装置本体３０を外枠１１側に取り付けた場合に、係合解除位置から係合位置に変更するように付勢されているので、防犯装置本体３０を外枠１１側に取り付けた場合には、この取付け状態を自動的に保持することができる。これによって、このスロットマシン１０の防犯装置３０によれば、ビスを取り付けたりすることなく、簡単に取付け作業を行うことができる。
また、このスロットマシン１０の防犯装置２０によれば、防犯装置本体３０は、外枠１１側に固定して取り付けられる取付用固定部材２１を介して外枠１１側に固定状態で取り付けられるようになっており、シリンダ錠４３ｃは、取外し回転操作によって、固定状態で取付用固定部材２１に取り付けられていた防犯装置本体３０を、取付用固定部材２１から取外し可能な取外し可能状態に切り替えるようになっているので、防犯装置本体３０は共通部品としながら、取付用固定部材２１を外枠１１側の状況に応じて適宜調整変更することができる。これによって、防犯装置本体３０を共通部品として何度も利用することができるので、製品コストを削減することに繋がる。
【００３０】
なお、本発明に係る遊技台の防犯装置にあっては、上記した実施の形態に限定されるものではなく、本発明の要旨を変更しない範囲で適宜に選択変更することができる。
例えば、上記実施の形態においては、遊技台の一例としてスロットマシン１０を挙げ、遊技台の防犯装置に関して説明するものであった。しかしながら、本発明に係る遊技台は、これに限定されることなく、例えば、パチンコ機等の遊技盤面を備えて構成されるものであってもよい。
また、上記の実施の形態にあっては、基台の例として、遊技台設置用島に固定設置されたスロットマシン１０の外枠１１を挙げるものであった。しかしながら、本発明に係る「基台」とは、上記したように、遊技台設置用島に固定設置されるものすべてを意味するものであって、例えば、遊技台設置用島に固定設置される玉替機やコイン替機等の所謂サンドをはじめ、上記した実施の形態に挙げたような遊技台設置用島に固定設置されるスロットマシンやパチンコ機の外枠、さらには遊技台設置用島自体も含むものである。つまり、本発明に係る「遊技台の防犯装置」は、このような遊技台設置用島に固定設置されるもの（基台）側に対して取り付けられるものである。
【図面の簡単な説明】
【００３１】
【図１】防犯装置が取り付けられているスロットマシンを示す斜視図である。
【図２】図１に示すスロットマシンの前枠が開き状態となっている例を示す斜視図である。
【図３】防犯装置の外観斜視図である。
【図４】防犯装置本体の分解斜視図である。
【図５】取り付けるにあたっての作動を示す第１取付け作動図である。
【図６】取り付けるにあたっての作動を示す第２取付け作動図である。
【図７】取り付けるにあたっての作動を示す第３取付け作動図である。
【図８】取り付けるにあたっての作動を示す第４取付け作動図である。
【図９】取り外すにあたっての作動を示す第１取外し作動図である。
【図１０】取り外すにあたっての作動を示す第２取外し作動図である。
【図１１】取り外すにあたっての作動を示す第３取外し作動図である。
【図１２】図８に示す状態の正面部分断面図である。
【図１３】図９に示す状態の正面図である。
【符号の説明】
【００３２】
１０  スロットマシン（遊技台）
１１  外枠
１２  前枠
１５  遊技台用施錠装置
１５ａ  雌側施錠具
１５ｂ  雄側施錠具
２０  防犯装置
２１  取付用固定部材
２２  基台取付部
２３  本体取付部
２４  嵌込用凹形状部
２４ａ  水平嵌込溝
２４ｂ  鉛直嵌込溝
２５  嵌合ガイド雄部
３０  防犯装置本体
３１  外装ケース
３１ａ  後面側カバー
３１ｂ  前面側カバー
３１ｃ  上カバー
３１ｄ  下カバー
３１ｅ  出没窓
３２ａ  第１ベース
３２ｂ  第２ベース
４０  規制機構
４１ｂ  ストッパ（開き規制部材）
４１  ストッパ装置
４１ａ  回転支持部材
４２  連動レバー装置
４２ａ  回転部材
４２ｂ  ピン
４２ｃ  付勢ばね
４２ｄ  擦り部材
４３  ロック状態解除操作装置
４３ａ  シリンダ錠
４３ｂ  カム
４３ｃ  回転部材
４３ｄ  擦り部材
４３ｅ  カム当接部材
４３ｆ  付勢ばね
５０  取外し機構
５１  取外し部材
５１ａ  軸支部
５１ｂ  係合部
５１ｃ  嵌合ガイド雌部
５１ｄ  ガイド片部
５２  付勢ばね
Ｋ  鍵
【図１】
2010148825.tif 000003
【図２】
2010148825.tif 000004
【図３】
2010148825.tif 000005
【図４】
2010148825.tif 000006
【図５】
2010148825.tif 000007
【図６】
2010148825.tif 000008
【図７】
2010148825.tif 000009
【図８】
2010148825.tif 000010
【図９】
2010148825.tif 000011
【図１０】
2010148825.tif 000012
【図１１】
2010148825.tif 000013
【図１２】
2010148825.tif 000014
【図１３】
2010148825.tif 000015